(57)【要約】【課題】吸引作業中、流体がノズルから外部に噴射され且つノズルを被吸引物が付着した面から離間させても、流体が周囲に飛散しないノズルを提供する。吸引装置に接続されたノズルの先端に着脱可能に取付けられるノズル用アタッチメントを提供する。【解決手段】被吸引物を吸い込むノズル本体１１内に設けられ、ノズル本体１１の開口側に、被吸引物に対して吹き付ける流体を噴射する流体噴射部１３と、ノズル本体１１内が負圧になった際に、流体噴射部１３から噴射された流体がノズル本体１１の開口から外部に放出し、前記負圧が解除された際に、前記流体がノズル本体１１の開口から外部に放出されることを阻止する流体噴射制御部１５を備えたノズルである。基端側がノズルの先端に着脱可能に取付けられる取付部１２１と、取付部１２１の先端側に設けられ、ノズル内を負圧にする弾性部材を備えたノズル用アタッチメントである。【選択図】        図１
2004223372.tif 000002
【特許請求の範囲】
【請求項１】
吸引装置に接続され、被吸引物を吸い込むために用いられるノズルであって、
一端側に被吸引物を吸い込むための開口が形成されたノズル本体と、
前記ノズル本体内に設けられ、当該ノズル本体の開口側に、被吸引物に対して吹き付ける流体を噴射する流体噴射部と、
前記ノズル本体内が負圧になった際に、前記流体噴射部から噴射された流体が前記ノズル本体の開口から外部に放出し、前記負圧が解除された際に、前記流体が前記ノズル本体の開口から外部に放出されることを阻止する流体噴射制御部と、を備えてなるノズル。
【請求項２】
前記流体噴射制御部は、
前記ノズル本体内に設けられ、前記流体噴射部から噴射された流体の進路を遮断して、当該流体が前記ノズル本体の開口から外部に放出されることを防止する遮蔽部と、
前記ノズル本体内が負圧になった際に、前記流体が当該ノズル本体の開口から外部に放出されるよう前記遮蔽部を移動させ、前記負圧が解除された際に、前記流体の進路を遮断するよう前記遮蔽部を移動させる駆動部と、を備えてなる請求項１記載のノズル。
【請求項３】
前記遮蔽部は、一端が前記駆動部に連結されてなり、当該駆動部は、前記ノズル本体内が負圧になった際に、大気との差圧を利用して前記遮蔽部を移動させる請求項２記載のノズル。
【請求項４】
前記遮蔽部は、その一部が前記流体噴射部に支持されてなり、前記駆動部は、前記遮蔽部の前記流体噴射部に支持された位置を支点として、当該遮蔽部を移動させる請求項３記載のノズル。
【請求項５】
前記遮蔽部は、前記流体噴射部から噴射された流体が通過可能な開口部を有し、
前記駆動部は、前記ノズル本体内が負圧になった際に、前記流体噴射部から噴射された流体を、当該開口部を介してノズル本体の開口から外部に放出させるよう、前記遮蔽部を移動させ、
前記ノズル本体は、前記遮蔽部の先端を支持可能な支持部を備えてなる請求項３記載のノズル。
【請求項６】
前記遮蔽部は、前記流体噴射部の回りを回転移動可能に設けられ、前記駆動部は、前記ノズル本体内が負圧になった際に、前記遮蔽部を、前記流体の進路を遮断する位置から、流体が当該ノズル本体の開口から外部に放出される位置に回転移動させる請求項３記載のノズル。
【請求項７】
前記遮蔽部は、互いに回動可能に連結された一対の遮蔽板と、前記一対の遮蔽板の間に介在可能であり、当該一対の遮蔽板の間に介在することによって、前記一対の遮蔽板を互いに離れる方向に回動させる介在部材と、を備え、
前記駆動部は、前記ノズル本体内が負圧になった際に、前記介在部材が前記一対の遮蔽板の間に介在するよう前記一対の遮蔽板を移動させ、前記一方の遮蔽板と、他方の遮蔽板との間に形成された隙間を介して、前記流体噴射部から噴射された流体をノズル本体の開口から外部に放出させる請求項３記載のノズル。
【請求項８】
前記遮蔽部は、互いに回動可能に連結された一対の遮蔽板と、前記一対の遮蔽板の間に介在可能であり、当該一対の遮蔽板の間に介在することによって、前記一対の遮蔽板を互いに離れる方向に回動させる介在部材と、を備え、
前記駆動部は、前記ノズル本体内が負圧になった際に、前記介在部材が前記一対の遮蔽板の間に介在するよう当該介在部材を移動させ、前記一方の遮蔽板と、他方の遮蔽板との間に形成された隙間を介して、前記流体噴射部から噴射された流体をノズル本体の開口から外部に放出させる請求項３記載のノズル。
【請求項９】
前記遮蔽部は、前記ノズル本体に揺動可能に設けられた遮蔽板と、当該遮蔽板が前記流体噴射部から噴射された流体の進路を遮断する際に、前記遮蔽板との間に前記流体を誘導する誘導部材と、を備え、
前記ノズル本体は、前記遮蔽板の先端を支持可能であると共に、当該遮蔽部の揺動をガイドするガイド部を備え、
前記駆動部は、前記ノズル本体内が負圧になった際に、前記遮蔽板を、前記流体の進路を遮断する位置から、流体が当該ノズル本体の開口から外部に放出される位置に揺動させ、
前記誘導部材は、前記遮蔽板が前記流体噴射部から噴射された流体の進路を遮断する位置にある際に、前記ノズル本体の開口側にいくにしたがって、前記遮蔽板との距離が短くなるよう配置され、前記駆動部が、前記遮蔽板を、前記流体が当該ノズル本体の開口から外部に放出される位置に揺動させる際に、当該遮蔽板と誘導部材との間を通過する流体の流体圧によって当該揺動を補助する請求項３記載のノズル。
【請求項１０】
前記駆動部は、
前記ノズル本体の側壁に形成した収容部と、
前記収容部内に移動可能に設けられたピストン部と、
前記ピストン部と前記遮蔽部とを連結する軸部と、
前記ピストン部に対して、このピストン部が前記ノズル本体の内部空間から離間する方向に付勢する付勢手段と、を備え、
前記ノズル本体内が負圧になった際に、前記ピストン部を前記ノズル本体の内部空間に近接する方向に移動させ、このピストン部の移動により前記軸部を介して前記遮蔽部を移動させる請求項２ないし請求項８のいずれか一項に記載のノズル。
【請求項１１】
前記ピストン部は、外部から前記ノズル本体内に向けて押圧可能に設けられてなる請求項１０記載のノズル。
【請求項１２】
前記流体噴射制御部は、前記ノズル本体内の圧力を感知する圧力センサと、当該圧力センサから出力される信号に応じて作動し、前記流体噴射部からの流体の噴射状態を制御するバルブを備えた請求項１記載のノズル。
【請求項１３】
前記流体噴射制御部は、前記圧力センサから出力される信号に応じて前記バルブを制御するコントローラをさらに備えた請求項１２記載のノズル。
【請求項１４】
前記ノズル本体は、前記開口側の端面に、複数の突起が設けられてなる請求項１ないし請求項１３のいずれか一項に記載のノズル。
【請求項１５】
吸引装置に接続され、被吸引物を吸い込むために用いられるノズルの先端に着脱可能に取付けられるノズル用アタッチメントであって、
基端側が前記ノズルの先端に着脱可能に取付けられる取付部と、
前記取付部の先端側に設けられ、前記ノズル内を負圧にする弾性部材と、を備えてなるノズル用アタッチメント。
【請求項１６】
前記取付部の先端にブラシ毛を配設し、前記弾性部材で当該ブラシ毛を包囲してなる請求項１５記載のノズル用アタッチメント。
【発明の詳細な説明】
【０００１】
【発明が属する技術分野】
本発明は、吸引装置に接続され、汚れ等の被吸引物が付着した被洗浄物に流体を吹付け、当該費吸引物を流体と共に吸い込むために用いられるノズル、及びこのノズルに着脱可能に取付けられるノズル用アッタチメントに関する。
【０００２】
【従来の技術】
従来から、例えば、壁、天井、床、風呂場、トイレ、家具、あるいは換気扇やエアコン等の機器、さらに自動車、自動二輪車、自転車等の乗り物類等の被洗浄物に付着した汚れは、比較的取り除き難く、洗浄が困難である。特に、これらの被洗浄物にこびりついた油汚れ等は、通常の洗浄流体でふき取る、あるいは洗い流すことが困難である。
【０００３】
そこで、近年では、被洗浄物に付着した汚れに洗浄流体を吹付けて、この洗浄流体の吹付力で、当該汚れを落とす洗浄装置が提案されている。また、洗浄装置で落としきれない汚れは、例えば、雑巾やたわし、モップ等で再度こする等して除去している。しかしながら、この洗浄装置は、例えば、床等の水平な面に付着した汚れを洗浄する場合、床等に吹付けられた洗浄流体及びこの洗浄流体によって除去された汚れ（以下、この「吹付けられた洗浄流体」及び「この洗浄流体によって除去された汚れ」をまとめて、単に「汚水」ということがある）が、そのまま床面等に残るため、これらを例えば雑巾等でふき取る必要があった。
【０００４】
また、壁等の垂直な面や天井等に付着した汚れを洗浄する場合も、これらに吹付けられた洗浄流体と、この洗浄流体によって除去された汚れが、流体だれあるいは落下し、この汚水を例えば雑巾等でふき取る必要がある。また、汚れていなかった部分に前記汚水が流体だれあるいは落下した場合は、さらにこの部分の清掃も必要となる。さらにまた、汚れを洗浄すべき壁や天井の下に、例えば植木や、家具、電化製品等が置かれている場合、これらに流体だれや落下した洗浄流体がかかると、植木が枯れたり、家具や電化製品等が損傷したり故障する等の問題もある。そこで、この場合は、前記植木や、家具、電化製品等にビニールシート等のカバーを被せる等して、これらに直接汚水がかからないようにして、壁や天井等の汚れを洗浄する必要があった。
【０００５】
また、昨今、寝たきりや痴呆症などの高齢者急増に伴い、その介護、特に排泄物の処理が非常に重大な懸案となってきている。これまで、こうした高齢者の排泄物処理にはオムツを用いていた。すなわち排泄終了後、もしくは定期的にオムツを交換することで、排泄物処理を行っているのが現状である。だが、オムツを交換しただけでは、身体に排泄物の一部が付着したままとなり、衛生上問題がある。ゆえにオムツ交換時に、依然として身体に付着している排泄物を除去してやる必要がある。
【０００６】
これまでこうした作業は、市販の清浄用品や蒸しタオルなどを用い、手作業にて行われてきた。すなわち、介護者が高齢者の身体の汚れた部位を直接拭いているのが、つまり身体に付着した排泄物を拭き取っているのが実情である。しかしながら、身体に付着した排泄物は、オムツを交換する頃には既に固まっていることが（固着状態となっていることが）多く、手作業にてそれを除去するには多大な時間や労力が必要となる。
【０００７】
そこで、本出願人は、前述したような汚れ等の被吸引物を容易に吸引除去することが可能な吸引装置を提案している。（特許文献１）。
【０００８】
また、このような吸引装置に接続され、被吸引物を吸い込むために用いられる様々なノズル構造を提案している。（特許文献２〜６）。
【０００９】
【特許文献１】
特開２００１−１６１７６２号公報
【特許文献２】
特開２００１−２４５９５２号公報
【特許文献３】
特開２００１−２４５９５３号公報
【特許文献４】
特開２００１−２６１９６８号公報
【特許文献５】
特開２００１−２７６１７２号公報
【特許文献６】
特開２００１−２９９９０３号公報
【発明が解決しようとする課題】
前述した特許文献２〜６に記載されたノズル構造は、吸引作業中、流体が噴射されている状態でノズルを被吸引物が付着した面から離間させても、流体が周囲に飛散することがないという特徴を備えている。
【００１０】
本発明は、特許文献２〜６に記載されたノズル構造とは異なった構造を備え、吸引作業中、自動的に流体がノズルから外部に噴射されると共に、ノズルを被吸引物が付着した面から離間させても、流体が周囲に飛散することがないノズルを提供することを目的とする。
【００１１】
また、本発明は、吸引装置に接続され、被吸引物を吸い込むために用いられるノズルの先端に着脱可能に取付けられるノズル用アタッチメントを提供することを目的とする。
【００１２】
【課題を解決するための手段】
この目的を達成するため、本発明は、吸引装置に接続され、被吸引物を吸い込むために用いられるノズルであって、一端側に被吸引物を吸い込むための開口が形成されたノズル本体と、前記ノズル本体内に設けられ、当該ノズル本体の開口側に、被吸引物に対して吹き付ける流体を噴射する流体噴射部と、前記ノズル本体内が負圧になった際に、前記流体噴射部から噴射された流体が前記ノズル本体の開口から外部に放出し、前記負圧が解除された際に、前記流体が前記ノズル本体の開口から外部に放出されることを阻止する流体噴射制御部と、を備えてなるノズルを提供するものである。
【００１３】
この構造を備えたノズルは、吸引作業中、流体が噴射されている状態でノズルを被吸引物が付着した面から離間させても、流体が周囲に飛散することがない。
また、本発明にかかるノズルは、ここから噴射される流体によって、洗浄作業をしたり、流体圧によるマッサージ効果を得る等、様々な分野に適用される。また、流体を高圧で噴射すれば、流体による切断作業を行うこともできる。
【００１４】
前記流体噴射制御部は、前記ノズル本体内に設けられ、前記流体噴射部から噴射された流体の進路を遮断して、当該流体が前記ノズル本体の開口から外部に放出されることを防止する遮蔽部と、前記ノズル本体内が負圧になった際に、前記流体が当該ノズル本体の開口から外部に放出されるよう前記遮蔽部を移動させ、前記負圧が解除された際に、前記流体の進路を遮断するよう前記遮蔽部を移動させる駆動部と、を備えることができる。
【００１５】
また、前記遮蔽部は、一端が前記駆動部に連結されてなり、当該駆動部は、前記ノズル本体内が負圧になった際に、大気との差圧を利用して前記遮蔽部を移動させることができる。
【００１６】
前記遮蔽部は、その一部が前記流体噴射部に支持されてなり、前記駆動部は、前記遮蔽部の前記流体噴射部に支持された位置を支点として、当該遮蔽部を移動させるよう構成することができる。
【００１７】
また、前記遮蔽部は、前記流体噴射部から噴射された流体が通過可能な開口部を有し、前記駆動部は、前記ノズル本体内が負圧になった際に、前記流体噴射部から噴射された流体を、当該開口部を介してノズル本体の開口から外部に放出させるよう前記遮蔽部を移動させ、前記ノズル本体は、前記遮蔽部の先端を支持可能な支持部を備えた構成にすることもできる。
【００１８】
そしてまた、前記遮蔽部は、前記流体噴射部の回りを回転移動可能に設けられ、前記駆動部は、前記ノズル本体内が負圧になった際に、前記遮蔽部を、前記流体の進路を遮断する位置から、流体が当該ノズル本体の開口から外部に放出される位置に回転移動させるよう構成することもできる。
【００１９】
さらにまた、前記遮蔽部は、互いに回動可能に連結された一対の遮蔽板と、前記一対の遮蔽板の間に介在可能であり、当該一対の遮蔽板の間に介在することによって、前記一対の遮蔽板を互いに離れる方向に回動させる介在部材と、を備え、前記駆動部は、前記ノズル本体内が負圧になった際に、前記介在部材が前記一対の遮蔽板の間に介在するよう前記一対の遮蔽板を移動させ、前記一方の遮蔽板と、他方の遮蔽板との間に形成された隙間を介して、前記流体噴射部から噴射された流体をノズル本体の開口から外部に放出させるよう構成することもできる。
【００２０】
また、前記遮蔽部は、互いに回動可能に連結された一対の遮蔽板と、前記一対の遮蔽板の間に介在可能であり、当該一対の遮蔽板の間に介在することによって、前記一対の遮蔽板を互いに離れる方向に回動させる介在部材と、を備え、前記駆動部は、前記ノズル本体内が負圧になった際に、前記介在部材が前記一対の遮蔽板の間に介在するよう当該介在部材を移動させ、前記一方の遮蔽板と、他方の遮蔽板との間に形成された隙間を介して、前記流体噴射部から噴射された流体をノズル本体の開口から外部に放出させるよう構成することもできる。
【００２１】
そしてまた、前記遮蔽部は、前記ノズル本体に揺動可能に設けられた遮蔽板と、当該遮蔽板が前記流体噴射部から噴射された流体の進路を遮断する際に、前記遮蔽板との間に前記流体を誘導する誘導部材と、を備え、前記ノズル本体は、前記遮蔽板の先端を支持可能であると共に、当該遮蔽部の揺動をガイドするガイド部を備え、前記駆動部は、前記ノズル本体内が負圧になった際に、前記遮蔽板を、前記流体の進路を遮断する位置から、流体が当該ノズル本体の開口から外部に放出される位置に揺動させ、前記誘導部材は、前記遮蔽板が前記流体噴射部から噴射された流体の進路を遮断する位置にある際に、前記ノズル本体の開口側にいくにしたがって、前記遮蔽板との距離が短くなるよう配置され、前記駆動部が、前記遮蔽板を、前記流体が当該ノズル本体の開口から外部に放出される位置に揺動させる際に、当該遮蔽板と誘導部材との間を通過する流体の流体圧によって当該揺動を補助するよう構成することもできる。
【００２２】
前記駆動部は、前記ノズル本体の側壁に形成した収容部と、前記収容部内に移動可能に設けられたピストン部と、前記ピストン部と前記遮蔽部とを連結する軸部と、前記ピストン部に対して、このピストン部が前記ノズル本体の内部空間から離間する方向に付勢する付勢手段と、を備え、前記ノズル本体内が負圧になった際に、前記ピストン部を前記ノズル本体の内部空間に近接する方向に移動させ、このピストン部の移動により前記軸部を介して前記遮蔽部を移動させるよう構成することができる。
【００２３】
また、前記ピストン部は、外部から前記ノズル本体内に向けて押圧可能に設けることができる。
【００２４】
そしてまた、前記遮蔽部は、前記ノズル本体に傾倒可能に設けられた少なくとも１つの遮蔽板を備え、前記駆動部は、前記ノズル本体内が負圧になった際に、前記遮蔽板を、前記流体の進路を遮断する位置から、流体が当該ノズル本体の開口から外部に放出される位置に傾倒させるよう構成することができる。
【００２５】
また、前記流体噴射制御部は、前記ノズル本体内の圧力を感知する圧力センサと、当該圧力センサから出力される信号に応じて作動し、前記流体噴射部からの流体の噴射状態を制御するバルブを備えることができる。
【００２６】
そしてまた、前記流体噴射制御部は、前記圧力センサから出力される信号に応じて前記バルブを制御するコントローラをさらに備えることもできる。
【００２７】
さらにまた、前記ノズル本体の開口側の端面には、複数の突起を設けることもできる。
【００２８】
また、本発明は、吸引装置に接続され、被吸引物を吸い込むために用いられるノズルの先端に着脱可能に取付けられるノズル用アタッチメントであって、基端側が前記ノズルの先端に着脱可能に取付けられる取付部と、前記取付部の先端側に設けられ、前記ノズル内を負圧にする弾性部材と、を備えてなるノズル用アタッチメントを提供するものである。
【００２９】
この構成を備えたノズル用アタッチメントは、被吸引物が付着した面にある程度の凹凸等が存在しても、弾性部材がその形状にほぼ相補して変形するため、ノズル本体内を効率よく負圧にすることができる。
【００３０】
また、本発明にかかるノズル用アタッチメントは、前記取付部の先端にブラシ毛を配設し、前記弾性部材で当該ブラシ毛を包囲した構造にすることもできる。この構造を備えたノズル用アタッチメントは、前記面にこびりついた被吸引物をブラシ毛で擦ることができるため、被吸引物を効率よく落とすことができる。また、前記面が細かい形状を備えていても、被吸引物を効率よく落とすことができる。
【００３１】
【発明の実施の形態】
次に、本発明の好適な実施の形態にかかるノズル及びアタッチメントについて図面を参照して説明する。なお、以下に記載される実施の形態１〜７は、本発明を説明するための例示であり、本発明をこれらの実施形態にのみ限定するものではない。したがって、本発明は、その要旨を逸脱しない限り、様々な形態で実施することができる。
（実施の形態１）
図１は、実施の形態１にかかるノズルの斜視図、図２は、図１に示すノズルの要部拡大断面図であって、吸引装置が作動しておらず、ノズル本体内が負圧になっていない状態を示す図、図３は、図１に示すノズルの要部拡大断面図であって、吸引装置は作動しているが、ノズル本体内が負圧になっていない状態を示す図、図４は、図１に示すノズルの要部拡大断面図であって、吸引装置は作動しており、かつノズル本体内が負圧になっている状態を示す図、図５は、実施の形態１にかかるノズルが取付けられる（接続される）吸引装置の概略図である。
【００３２】
図１ないし図４に示すように、実施の形態１にかかるノズル１は、中空の略長方体からなるノズル本体１１と、ノズル本体１１内に設けられ、ノズル本体１１の開口部１２側に、被吸引物Ｍ（図４参照）に対して吹き付ける流体Ｗ（図４参照）を噴射する流体噴射部１３と、ノズル本体１１内が負圧になった際に、流体噴射部１３から噴射された流体Ｗをノズル本体１１の開口部１２から外部に放出し、負圧が解除された際に、流体Ｗがノズル本体１１の開口部１２から外部に放出されることを阻止する流体噴射制御部１５と、を備えて構成されている。
【００３３】
ノズル本体１１は、基端側が、後に詳述する吸引装置２００の吸引ホース２０１に接続され、先端側が、汚れ等の被吸引物Ｍが付着した面Ｂ（図４参照）に対向可能な開口部１２となっている。ノズル本体１１の一壁面には、ノズル本体１１の内部と外部とをつなぐ円孔からなる収容部１７が形成されている。この収容部１７は、前記壁面から凸状に一体的に形成されたガイド壁部１８によって画定されている。この収容部１７には、後に詳述する流体噴射制御部１５の駆動部２５の一部が収容される。
【００３４】
ノズル本体１１の開口部１２における、被吸引物Ｍが付着した面Ｂと対向すると共に、ガイド壁部１８が形成された側の端面には、複数の小さな突起１６が一列に形成されている。この突起１６は、先端側が半球状に構成されており、被吸引物Ｍが付着した面Ｂとノズル本体１１の開口部１２の端面との間に、所要の空隙を形成する役割を果たす。よって、ノズル本体１１内には、その周囲の外気が導入され、この結果、ノズル１が被吸引物Ｍの付着した面Ｂに過度に吸着することがなくなる。一方、開口部１２の突起１６が設けられた端面の下方に位置する端面は、断面が略半円形の連続した長尺なパッド１９によって被覆されている。
【００３５】
ここで、この突起１６は、被吸引物Ｍが付着した面Ｂの種類によっては、ノズル本体１１に、必ずしも設けなくてもよい。また、パッド１９も、所望により取り付けなくてもよい。これらの突起１６及びパッド１９を設ける場合は、被吸引物Ｍが付着した面Ｂの種類によって、そのサイズや、材質等を適宜選択することができることは勿論である。
【００３６】
流体噴射部１３は、その先端に、被吸引物Ｍに対して吹き付ける流体Ｗを噴射する流体噴射部本体２１を備えている。この流体噴射部本体２１の先端側上部には、後に詳述する遮蔽板２４を支持するための支持部２６が突設されている。流体噴射部１３の基端側は、中空のクランク形のステー２３によって支持されている。このステー２３は、後に詳述する吸引装置２００の輸流体チューブ２０２に接続されている。ステー２３の内部には、流体誘導路２２が形成されており、流体噴射部本体２１から噴射される流体Ｗは、この流体誘導路２２を経て、輸流体チューブ２０２から供給される。また、ステー２３は、ノズル本体１１を貫通し、その部位に十分な気密性が付与された状態で固定されている。
【００３７】
流体噴射制御部１５は、ノズル本体１１内に設けられ、流体噴射部本体２１から噴射された流体Ｗの進路を遮断して、流体Ｗがノズル本体１１の開口部１２から外部に放出されることを防止する遮蔽部としての遮蔽板２４と、ノズル本体１１内が負圧になった際に、流体Ｗがノズル本体１１の開口部１２から外部に放出されるよう遮蔽板２４を移動させ、かつ前記負圧が解除された際に、流体Ｗの進路を遮断するよう遮蔽板２４を移動させる駆動部２５と、を備えている。
【００３８】
遮蔽板２４は、断面略へ字状を備え、その屈曲部は鈍角をなしており、一端が駆動部２５に回動可能に連結されている。遮蔽板２４は、流体噴射部本体２１から噴射される流体Ｗの進路を遮断することが可能な幅を備えている。この遮蔽板２４は、屈曲部近傍が支持部２６に支持されており、遮蔽板２４は、この支持された部分を支点として揺動（移動）可能となっている。
【００３９】
駆動部２５は、前述したガイド壁部１８と、このガイド壁部１８によって画定された収容部１７内に設けられたピストン部２７と、このピストン部２７と遮蔽板２４とを連結する軸部２８と、ピストン部２７をノズル本体１１の外部方向に付勢する付勢部材としてのコイル状のスプリング２９と、を主要構成要素として備えている。
【００４０】
ピストン部２７は、ガイド壁部１８に対して、十分な気密状態を保持したまま変位できるよう、収容部１７内に収納されている。また、スプリング２９は、軸部２８の周囲に存在しており、ピストン部２７に対して、このピストン部２７がノズル本体１１の内部空間から離間するよう、ノズル本体１１の突起１６が形成されている側壁側に復元力を作用させる。また、このスプリング２９は、ノズル本体１１とは別部材の座板３０によって支持されている。すなわち、スプリング２９は、ノズル本体１１の内面に取付けられた座板３０とピストン部２７との間に介在させられている。この座板３０の中央には、軸部２８を挿通させるための貫通孔が存在し、さらに、この貫通孔の周囲には、収容部１７に負圧を有効に作用させるための通気孔３１が複数形成されている。但し、ここでは、遮蔽板２４の回転を抑止するため、軸部２８の断面および座板３０の中央貫通孔を共に矩形状としている。
【００４１】
なお、ガイド壁部１８は、その内部に存在するピストン部２７を指で押圧可能な位置に形成されている。これは、後に詳述するが、必要とあれば、流体Ｗを手動でも噴射できるようにするためである。そして、手動時の操作性を向上させるため、ピストン部２７の、スプリング２９とは反対側の面には、凸部３３を設けている。
【００４２】
この構成を備えた駆動部２５は、後に詳述する吸引装置２００を作動させ、ノズル本体１１の開口部１２を面Ｂに接触させると、ノズル本体１１内が負圧になり、大気圧とこの負圧との差圧によって、ピストン部２７をスプリング２９の付勢力に抗して下方（ノズル本体１１の内部空間に近接する方向）に移動させる。
さらに、このピストン部２７の移動が、軸部２８を介して遮蔽板２４を、支持部２６を支点として、反時計方向に揺動（回動）させる。この動作によって、遮蔽板２４は、先端側（軸部２８に連結されている側とは反対側）が、流体噴射部本体２１から噴射される流体Ｗの進路を遮断（妨害）する位置から上方に移動し、前記流体Ｗは、遮蔽板２４に衝突することなく、ノズル本体１１の開口部１２から外部に放出される。
【００４３】
一方、ノズル本体１１の開口部１２を面Ｂから放すと、ノズル本体１１内は、負圧でなくなり、ピストン部２７はスプリング２９の付勢力よって上部（すなわち、前記とは反対の方向）に移動する。このピストン部２７の移動が、軸部２８を介して遮蔽板２４を、支持部２６を支点として、時計方向に揺動（回動）させる。この動作によって、遮蔽板２４は、流体噴射部本体２１から噴射される流体Ｗの進路を遮断する位置に戻され、流体Ｗは遮蔽板２４に衝突し、その飛沫が直ちに吸引されるようになっている。
【００４４】
吸引装置２００は、図５に示すように、吸引部２１０と、吸引部２１０の駆動によってノズル１から吸引した被吸引物Ｍを蓄える被吸引物用タンク２２０と、被吸引物用タンク２２０とノズル１とをつなぐ（連通する）蛇腹状の吸引ホース２０１と、ノズル１の流体噴射部１３に流体Ｗを供給する流体供給部２３０と、を主要構成要素として備えている。
【００４５】
吸引部２１０は、具体的にはファンモータであって、被吸引物用タンク２２０の上方に設置されている。
【００４６】
被吸引物用タンク２２０は、吸引部２１０の作用によってノズル１から吸い込まれた被吸引物Ｍを蓄える。したがって、吸引部２１０の吸引力は、被吸引物用タンク２２０内の空間を経て作用する。但し、実施の形態１では、被吸引物用タンク２２０内には水が充填されており、吸い込まれた被吸引物Ｍは、この水と混じり合った状態となる。
【００４７】
なお、吸引部２１０と被吸引物用タンク２２０との間には、吸引部２１０の駆動力（回転力）を利用した気流体分離機構（図示せず）を介在させてある。したがって、吸引部２１０からは、空気のみが排出されることになる。なお、この気流体分離機構、水が充填された被吸引物用タンクを使用する吸引系構造部（通常、これ単独で乾湿両用掃除機と呼ばれる）については、例えば、特開平１０−３０４９９３号公報に記載されているように既に公知であるため、その詳しい説明は省略する。
【００４８】
流体供給部２３０は、流体Ｗを蓄える流体用タンク２３１と、流体用タンク２３１内に蓄えられた流体Ｗを所定温度に加熱する加熱部２３２と、流体噴射部１３に流体用タンク２３１内に蓄えられた流体Ｗを圧送する流体圧送部２３３と、流体圧送部２３３と流体噴射部１３とをつなぐ（連通する）輸流体チューブ２０２と、を主要構成要素として備える。
【００４９】
流体用タンク２３１は、流体Ｗの補充ができるよう脱着自在な蓋２３４を備えている。また加熱部２３２は、流体用タンク２３１の下方に存在しており、この流体用タンク２３１に蓄えられた流体Ｗを、所望の流体温となるよう加熱する。
流体用タンク２３１及び輸流体チューブ２０２に接続された流体圧送部２３３は、具体的には電動ポンプであり、流体噴射部１３へ向けて、流体用タンク２３１に蓄えられた流体Ｗを圧送する。なお、流体Ｗを運ぶ輸流体チューブ２０２は、吸引ホース２０１と共に動けるようにするため、所定間隔で吸引ホース２０１に緊結（縛着）されている。
【００５０】
これらの吸引部２１０、被吸引物用タンク２２０、流体供給部２３０は、移動用の車輪を備えたケース２４０内に収納されている。
【００５１】
次に、実施の形態１にかかるノズル１の具体的動作について説明する。
【００５２】
壁、天井、身体等、被吸引物Ｍが付着された面Ｂから、この被吸引物Ｍの吸引除去作業を行うには、先ず、吸引装置２００を作動させると、流体噴射部本体２１から流体Ｗが噴出される。この時、ノズル本体１１の開口部１２が、面Ｂに接触しておらず、ノズル本体１１内が負圧になっていない場合は、図３に示すように、ピストン部２７がスプリング２９の付勢力よって上部に位置しており、遮蔽板２４は、流体噴射部本体２１から噴射される流体Ｗの進路を遮断する位置に置かれ、流体Ｗは、遮蔽板２４に衝突し、その飛沫が吸引装置２００によって直ちに吸引される。
【００５３】
この状態で、ノズル本体１１の開口部１２を面Ｂに接触させると、ノズル本体１１内が負圧になり、大気圧とこの負圧との差圧によって、ピストン部２７は、スプリング２９の付勢力に抗して下方に移動する。この動作によって、遮蔽板２４は、軸部２８を介して、支持部２６を支点として、反時計方向に揺動（回動）し、流体噴射部本体２１から噴射される流体Ｗの進路を遮断（妨害）する位置から上方に移動し、図４に示すように、前記流体Ｗは、遮蔽板２４に衝突することなく、ノズル本体１１の開口部１２から外部に放出される。この時、ノズル本体１１の開口部１２の端面に形成された突起１６によって、面Ｂとの間に形成される空隙（隙間）から外気が導入されるため、ノズル１が面Ｂに過度に吸着することを防止することができる。なお、ノズル本体１１の開口部１２から外部に流体Ｗを放出させるための動作を行う際には、必要であれば、ピストン部２７を指で押圧して、ピストン部２７がスプリング２９の付勢力に抗して下方に移動することを手動で補助してもよい。
【００５４】
この動作により、流体Ｗが被吸引物Ｍに対して吹き付けられ、吸引装置２００の吸引力により、この被吸引物Ｍを面Ｂから速やかに剥離させる。この結果、優れた吸引除去性能が発揮される。しかも、この状態では、周囲の外気がノズル本体１内に、かなりの勢いで導入されているから、被吸引物Ｍに衝突した流体Ｗも外部に飛散することなく吸引される。
【００５５】
また、ノズル本体１１の開口部１２を面Ｂから放すと、ノズル本体１１内は、負圧でなくなり、ピストン部２７はスプリング２９の付勢力よって上部に移動する。このピストン部２７の移動が、軸部２８を介して遮蔽板２４を、支持部２６を支点として、時計方向に揺動（回動）させる。この動作によって、遮蔽板２４は、流体噴射部本体２１から噴射される流体Ｗの進路を遮断する位置に戻され、流体Ｗは遮蔽板２４に衝突し、その飛沫が直ちに吸引される。
【００５６】
なお、実施の形態１にかかるノズル１のノズル本体１１は、吸引ホース２０１が接続される側に径の均一な部分が存在する。そして、この部分には、吸引部２１０や流体圧送部２３３を作動または停止させるための二つのスイッチ（図示せず）が配されている。したがって、実際には、ノズル１とケース２４０との間には、吸引ホース２０１や輸流体チューブ２０２に加えて、電気信号を伝達するためのケーブル等も存在している。
【００５７】
なお、実施の形態１では、被吸引物Ｍに対して吹き付ける流体Ｗとして水（ぬるま湯）を使用した場合について説明したが、これに限らず、例えば、より高温の水（お湯）や、洗剤、薬品等が混合された液体や、これらをガス状や蒸気状にしたもの等、所望により他の流体で代替させてもよい。
（実施の形態２）
次に、本発明の実施の形態２にかかるノズルについて、図面を参照して説明する。
【００５８】
図６は、実施の形態２にかかるノズルの斜視図、図７は、図６に示すノズルの要部拡大断面図であって、吸引装置が作動しておらず、ノズル本体内が負圧になっていない状態を示す図、図８は、図６に示すノズルの要部拡大断面図であって、吸引装置は作動しているが、ノズル本体内が負圧になっていない状態を示す図、図９は、図６に示すノズルの要部拡大断面図であって、吸引装置は作動しており、かつノズル本体内が負圧になっている状態を示す図である。
【００５９】
なお、実施の形態２では、実施の形態１で説明した部材と同様の部材には、同一の符号を付し、その詳細な説明は省略する。
【００６０】
図６〜図９に示すように、実施の形態２にかかるノズル２の、実施の形態１にかかるノズル１との異なる主な点は、流体噴射部本体４０の先端に支持部を形成していない点と、遮蔽板４１の形状と、ノズル本体１１の開口部１２近傍に、遮蔽部４１の先端を支持可能な支持部４２を設けた点である。
【００６１】
遮蔽板４１は、流体噴射部本体４０から噴射される流体Ｗの進路を遮断することが可能な幅を備えた断面略へ字状を有しており、軸部２８の下端に取付けられている。この遮蔽板４１の屈曲部は鈍角をなし、先端側が傾斜面となっている。
遮蔽板４１の傾斜面の略中央部には、ノズル本体１１内が負圧になった際に、駆動部２５が作動し、遮蔽板４１が下方に移動した時に、流体噴射部本体４０から噴射される流体Ｗをノズル本体１１の外部に放出可能な大きさを備えた開口部４３が形成されている。
【００６２】
支持部４２は、ノズル本体１１の開口部１２のパッド１９近傍から、図６〜図９でいう上方に向けて形成されている。この支持部４２は、遮蔽板４１が流体噴射部本体４０から噴射される流体Ｗの進路を遮断（妨害）する位置（図７及び図８参照）にある際に、遮蔽板４１の先端部を支持するよう構成されている。また、この支持部４１は、ノズル本体１１内から流体Ｗが外部に、不用意に放出されることを防止する役割も果たしている。
【００６３】
次に、この構成を備えたノズル２の具体的動作について説明する。
【００６４】
壁、天井、身体等、被吸引物Ｍが付着された面Ｂから、この被吸引物Ｍの吸引除去作業を行うには、実施の形態１と同様に、吸引装置２００を作動させ、流体噴射部本体４０から流体Ｗを噴出させる。この時、ノズル本体１１内は負圧になっていないため、遮蔽板４１は、流体噴射部本体４０から噴射される流体Ｗの進路を遮断（妨害）する位置にあり（図８参照）、流体Ｗは、遮蔽板４１に衝突し、その飛沫が吸引装置２００によって直ちに吸引される。
【００６５】
この状態で、ノズル本体１１の開口部１２を面Ｂに接触させると、ノズル本体１１内が負圧になり、大気圧とこの負圧との差圧によって、ピストン部２７は、スプリング２９の付勢力に抗して下方に移動する。この動作によって、遮蔽板４１は、軸部２８を介して下方に移動し、流体Ｗは、遮蔽板４１に衝突することなく、遮蔽板４１に形成された開口部４３から外部に放出される。この時、実施の形態１と同様に、ノズル本体１１の開口部１２の端面に形成された突起１６によって、面Ｂとの間に形成される空隙（隙間）から外気が導入されるため、ノズル１が面Ｂに過度に吸着することを防止することができる。また、ノズル本体１１の開口部１２から外部に流体Ｗを放出させるための動作を行う際には、必要であれば、ピストン部２７を指で押圧して、ピストン部２７がスプリング２９の付勢力に抗して下方に移動することを手動で補助してもよい。
【００６６】
この動作により、流体Ｗが被吸引物Ｍに対して吹き付けられ、吸引装置２００の吸引力により、この被吸引物Ｍを面Ｂから速やかに剥離させる。この結果、優れた吸引除去性能が発揮される。しかも、この状態では、周囲の外気がノズル本体１内に、かなりの勢いで導入されているから、被吸引物Ｍに衝突した流体Ｗも外部に飛散することなく吸引される。
【００６７】
また、ノズル本体１１の開口部１２を面Ｂから放すと、ノズル本体１１内は、負圧でなくなり、ピストン部２７はスプリング２９の付勢力よって上部に移動する。この動作により、遮蔽板４１は軸部２８を介して、流体噴射部本体４０から噴射される流体Ｗの進路を遮断する位置に戻され、流体Ｗは遮蔽板４１に衝突し、その飛沫が直ちに吸引される。
【００６８】
なお、実施の形態２では、遮蔽板４１として、断面略へ字状のものを使用した場合について記載したが、これに限らず、遮蔽板４１は、ノズル本体１１内が負圧でない際に、流体噴射部本体４０から噴射される流体Ｗの進路を遮断可能であり、かつノズル本体１１内が負圧になった際に、駆動部４５が作動することにより、遮蔽板４１に形成された開口部４３を介して、流体Ｗがノズル本体１１の外部に放出されれば、他の形状であってもよいことは勿論である。
（実施の形態３）
次に、本発明の実施の形態３にかかるノズルについて、図面を参照して説明する。
【００６９】
図１０は、実施の形態３にかかるノズルの斜視図、図１１は、図１０に示すノズルの要部拡大断面図であって、吸引装置が作動しておらず、ノズル本体内が負圧になっていない状態を示す図、図１２は、図１０に示すノズルの要部拡大断面図であって、吸引装置は作動しているが、ノズル本体内が負圧になっていない状態を示す図、図１３は、図１２のＸＩＩＩ−ＸＩＩＩ線に沿った断面図、図１４は、図１０に示すノズルの要部拡大断面図であって、吸引装置は作動しており、かつノズル本体内が負圧になっている状態を示す図、図１５は、図１４のＸＶ−ＸＶ線に沿った断面図である。
【００７０】
なお、実施の形態３では、前述した実施の形態で説明した部材と同様の部材には、同一の符号を付し、その詳細な説明は省略する。
【００７１】
図１０〜図１４に示すように、実施の形態３にかかるノズル３の、実施の形態１にかかるノズル１との異なる主な点は、流体噴射部本体４０の先端に支持部を形成していない点と、駆動部４５の構成と、遮蔽板４６の形状である。
【００７２】
駆動部４５は、ガイド壁部１８と、このガイド壁部１８によって画定された収容部１７内に設けられたピストン部４７と、このピストン部４７と遮蔽板４６とを連結する軸部２８と、ピストン部４７をノズル本体１１の外部方向に付勢する付勢部材としてのコイル状のスプリング２９と、を主要構成要素として備えている。
【００７３】
ガイド壁部１８の内壁であって、図１１〜図１４でいう上部には、後に詳述するピストン部４７の外周面に形成された環状の凸部４８が係合する凹溝４９が、緩やかな螺旋状に形成されている。この凹溝４９は、後に詳述するピストン部４７が、下方に移動しようとする際に、ピストン部４７が凹溝４９に沿って螺旋状に回転するよう誘導する役割を果たすものである。
【００７４】
ピストン部４７は、その外周面に環状の凸部４８が形成されており、この凸部４８がガイド壁部１８に形成された凹溝４９に係合した状態で、ガイド壁部１８に対して、十分な気密状態を保持したまま変位できるよう、収容部１７内に収納されている。
【００７５】
このピストン部４７を備えた駆動部４５は、吸引装置２００を作動させ、ノズル本体１１の開口部１２を面Ｂに接触させると、ノズル本体１１内が負圧になり、大気圧とこの負圧との差圧によって、ピストン部４７をスプリング２９の付勢力に抗して下方（ノズル本体１１の内部空間に近接する方向）に移動させようとする。この時、ピストン部４７は、ガイド壁部１８に形成された凹溝４９に案内されて、約９０度回転しながら下方に移動する。したがって、後に詳述するが、ピストン部４７に設けられた軸部２８の下端に固定された遮蔽板４６も、約９０度回転（位相）しながら下方に移動する。
【００７６】
遮蔽板４６は、断面略Ｊ字状（図１１及び図１２参照）を備え、軸部２８の下端に固定されている。この遮蔽部４６は、ノズル本体１１内が負圧でない際に、流体噴射部本体４０の正面に位置する椀状部分によって、流体噴射部本体４０から噴射される流体Ｗの進路を遮断することが可能となっている。また、この遮蔽板４６は、ノズル本体１１内が負圧になった際に、駆動部４５が作動することにより、遮蔽板４６が螺旋状に回転しながら、流体噴射部本体４０の正面から約９０度位相した位置（すなわち、流体噴射部本体４０から噴射される流体Ｗが、遮蔽板４６に衝突しない位置）まで移動し、流体Ｗがノズル本体１１の外部に放出されるよう構成されている。
【００７７】
次に、この構成を備えたノズル３の具体的動作について説明する。
【００７８】
壁、天井、身体等、被吸引物Ｍが付着された面Ｂから、この被吸引物Ｍの吸引除去作業を行うには、実施の形態１と同様に、吸引装置２００を作動させ、流体噴射部本体４０から流体Ｗを噴出させる。この時、ノズル本体１１内は負圧になっていないため、遮蔽板４６は、流体噴射部本体４０から噴射される流体Ｗの進路を遮断（妨害）する位置（流体噴射部本体４０の正面）にあり（図１１〜図１３参照）、流体Ｗは、遮蔽板４６に衝突し、その飛沫が吸引装置２００によって直ちに吸引される。
【００７９】
この状態で、ノズル本体１１の開口部１２を面Ｂに接触させると、ノズル本体１１内が負圧になり、大気圧とこの負圧との差圧によって、ピストン部４７は、スプリング２９の付勢力に抗して、ガイド壁部１８に形成された凹溝４９に案内されて、約９０度回転しながら下方に移動する。この動作によって、遮蔽板４６も、約９０度回転（位相）しながら下方に移動し、図１４及び図１５に示す位置に来る。遮蔽板４６がこの位置に来ることによって、流体Ｗは、遮蔽板４６に衝突することなく、ノズル本体１１の外部に放出される。この時、実施の形態１と同様に、ノズル本体１１の開口部１２の端面に形成された突起１６によって、面Ｂとの間に形成される空隙（隙間）から外気が導入されるため、ノズル１が面Ｂに過度に吸着することを防止することができる。また、ノズル本体１１の開口部１２から外部に流体Ｗを放出させるための動作を行う際には、必要であれば、ピストン部４７を指で押圧して、ピストン部４７がスプリング２９の付勢力に抗して螺旋状に沿って下方へ移動することを手動で補助してもよい。
【００８０】
この動作により、流体Ｗが被吸引物Ｍに対して吹き付けられ、吸引装置２００の吸引力により、この被吸引物Ｍを面Ｂから速やかに剥離させる。この結果、優れた吸引除去性能が発揮される。しかも、この状態では、周囲の外気がノズル本体１内に、かなりの勢いで導入されているから、被吸引物Ｍに衝突した流体Ｗも外部に飛散することなく吸引される。
【００８１】
また、ノズル本体１１の開口部１２を面Ｂから放すと、ノズル本体１１内は、負圧でなくなり、ピストン部４７はスプリング２９の付勢力よって前記とは逆方向に螺旋状に沿って上部へ移動する。この動作により、遮蔽板４６は軸部２８を介して、流体噴射部本体４０から噴射される流体Ｗの進路を遮断する位置に戻され、流体Ｗは遮蔽板４６に衝突し、その飛沫が直ちに吸引される。
【００８２】
なお、実施の形態３では、遮蔽板４６の形状を断面略Ｊ字状としたが、これに限らず、遮蔽板４６の形状は、ノズル本体１１内が負圧でない際に、流体噴射部本体４０から噴射される流体Ｗの進路を遮断可能であり、かつノズル本体１１内が負圧になった際に、駆動部４５が作動することにより、遮蔽板４６が螺旋状に回転しながら、流体噴射部本体４０から噴射される流体Ｗが、遮蔽板４６に衝突しない位置まで移動可能であれば、他の形状であってもよいことは勿論である。
【００８３】
また、実施の形態３では、ピストン部４７を約９０度位相（回転移動）させる場合について説明したが、これに限らず、ピストン部４７の回転角度は、ノズル本体１１内が負圧でない際に、流体噴射部本体４０から噴射される流体Ｗの進路を遮断可能な位置に遮蔽部４６を位置させ、かつノズル本体１１内が負圧になった際に、流体噴射部本体４０から噴射される流体Ｗが衝突しない位置まで遮蔽部４６を移動させることが可能な範囲において、設定することができる。
（実施の形態４）
次に、本発明の実施の形態４にかかるノズルについて、図面を参照して説明する。
【００８４】
図１６は、実施の形態４にかかるノズルの斜視図、図１７は、図１６に示すノズルの要部拡大断面図であって、吸引装置が作動しておらず、ノズル本体内が負圧になっていない状態を示す図、図１８は、図１６に示すノズルの要部拡大断面図であって、吸引装置は作動しているが、ノズル本体内が負圧になっていない状態を示す図、図１９は、図１７に示すノズルの遮蔽部を開口部側から見た概略平面図、図２０は、図１６に示すノズルの要部拡大断面図であって、吸引装置は作動しており、かつノズル本体内が負圧になっている状態を示す図、図２１は、図２０に示すノズルの遮蔽部を開口部側から見た概略平面図である。
【００８５】
なお、実施の形態４では、前述した実施の形態で説明した部材と同様の部材には、同一の符号を付し、その詳細な説明は省略する。
【００８６】
図１６〜図２１に示すように、実施の形態４にかかるノズル４の、実施の形態１にかかるノズル１と異なる主な点は、流体噴射部本体４０の先端に支持部を形成していない点と、遮蔽板５１及び５２の形状と、ノズル本体１１の開口部１２近傍に、遮蔽部５１及び５２の間に介在可能であり、遮蔽板５１及び５２の間に介在することによって、これらを互いに離れる方向に回動させる介在部材５３を設けた点である。
【００８７】
遮蔽板５１及び５２は、各々略長方形を備え、軸部２８の下端に固定された支持板５４の先端側（開口部１２側）に、ピン５５によって回動可能に取付けられることにより、全体として略四辺形を形成している（図１９参照）。遮蔽板５１及び５２の互いに合わされる部分の図１６〜図２１でいう下端には、切欠き５６及び５７が各々形成されており、これらの切欠き５６及び５７によって、略三角形の空間を形成している（図１９参照）。この略三角形の空間は、後に詳述する介在部材５３が入り込めるようになっている。
【００８８】
介在部材５３は、ノズル本体１１内の、遮蔽板５１及び５２と対向する位置に立設されている。この介在部材５３は、図１６〜図２１でいう上部先端が、切欠き５６及び５７によって形成される略三角形の空間にほぼ相補した形状の略三角形となっている。
【００８９】
次に、この構成を備えたノズル４の具体的動作について説明する。
【００９０】
壁、天井、身体等、被吸引物Ｍが付着された面Ｂから、この被吸引物Ｍの吸引除去作業を行うには、実施の形態１と同様に、吸引装置２００を作動させ、流体噴射部本体４０から流体Ｗを噴出させる。この時、ノズル本体１１内は負圧になっていないため、遮蔽板５１及び５２は、閉じた状態（図１９に示す状態）になっており、流体噴射部本体４０から噴射される流体Ｗの進路を遮断（妨害）する。このため、流体Ｗは遮蔽板５１及び５２に衝突し、その飛沫が吸引装置２００によって直ちに吸引される。
【００９１】
この状態で、ノズル本体１１の開口部１２を面Ｂに接触させると、ノズル本体１１内が負圧になり、大気圧とこの負圧との差圧によって、ピストン部２７は、スプリング２９の付勢力に抗して下方に移動する。この動作によって、遮蔽板５１及び５２は、軸部２８を介して下方に移動し、切欠き５６及び５７によって形成された略三角形の空間に、介在部材５３の上部先端が入り込む。さらに遮蔽板５１及び５２が下方に移動すると、前記略三角形の空間に、介在部材５３の上部先端がさらに入り込み、図２１に示すように、遮蔽板５１及び５２が、ピン５５を支点として互いに、離れる方向に回動し、遮蔽板５１と、遮蔽板５２との間に形成された隙間Ｃを介して、流体噴射部本体４０から噴射された流体Ｗをノズル本体１１から外部に放出させる。この時、実施の形態１と同様に、ノズル本体１１の開口部１２の端面に形成された突起１６によって、面Ｂとの間に形成される空隙（隙間）から外気が導入されるため、ノズル１が面Ｂに過度に吸着することを防止することができる。また、ノズル本体１１の開口部１２から外部に流体Ｗを放出させるための動作を行う際には、必要であれば、ピストン部２７を指で押圧して、ピストン部２７がスプリング２９の付勢力に抗して下方に移動することを手動で補助してもよい。
【００９２】
この動作により、流体Ｗが被吸引物Ｍに対して吹き付けられ、吸引装置２００の吸引力により、この被吸引物Ｍを面Ｂから速やかに剥離させる。この結果、優れた吸引除去性能が発揮される。しかも、この状態では、周囲の外気がノズル本体１内に、かなりの勢いで導入されているから、被吸引物Ｍに衝突した流体Ｗも外部に飛散することなく吸引される。
【００９３】
また、ノズル本体１１の開口部１２を面Ｂから放すと、ノズル本体１１内は、負圧でなくなり、ピストン部２７はスプリング２９の付勢力よって上部に移動する。この動作により、遮蔽板５１及び５２は、ピン５５を支点として、互いに近づく方向に回動し、図１９に示す位置に戻り、流体Ｗは遮蔽板５１及び５２に衝突し、その飛沫が直ちに吸引される。
【００９４】
なお、実施の形態４では、遮蔽板５１及び５２として、略長方形のものを使用した場合について記載したが、これに限らず、遮蔽板５１及び５２は、ノズル本体１１内が負圧でない際に、流体噴射部本体４０から噴射される流体Ｗの進路を遮断可能であり、かつノズル本体１１内が負圧になった際に、駆動部４５が作動することにより、遮蔽板５１及び５２が互いに離れる方向に回動して、両者の間に形成された隙間を介して、流体Ｗがノズル本体１１の外部に放出されれば、他の形状であってもよいことは勿論である。
【００９５】
また、実施の形態４では、軸部に固定した支持板５４に遮蔽板５１及び５２を取付けた場合について説明したが、これに限らず、遮蔽板５１及び５２と、介在部材５３との位置を逆にし、支持板５４に介在部材５３を、略三角形の先端が下を向くように取付け、遮蔽板５１及び５２を、切欠き５６及び５７が上を向くように配設してもよい。このような構成にした場合は、駆動部２５は、ノズル本体１１内が負圧になった際に、介在部材５３が遮蔽板５１と遮蔽板５２との間に介在するよう介在部材５３を移動させ、遮蔽板５１と遮蔽板５２との間に形成された隙間を介して、流体噴射部本体４０から噴射された流体Ｗをノズル本体１１の開口部１２から外部に放出させる。
（実施の形態５）
次に、本発明の実施の形態５にかかるノズルについて、図面を参照して説明する。
【００９６】
図２２は、実施の形態５にかかるノズルの斜視図、図２３は、図２２に示すノズルの要部拡大断面図であって、吸引装置が作動しておらず、ノズル本体内が負圧になっていない状態を示す図、図２４は、図２２に示すノズルの要部拡大断面図であって、吸引装置は作動しているが、ノズル本体内が負圧になっていない状態を示す図、図２５は、図２３に示すノズルの遮蔽部を開口部側から見た概略平面図、図２６は、図２２に示すノズルの要部拡大断面図であって、吸引装置は作動しており、かつノズル本体内が負圧になっている状態を示す図、図２７は、図２６に示すノズルの遮蔽部を開口部側から見た概略平面図である。
【００９７】
なお、実施の形態４では、前述した実施の形態で説明した部材と同様の部材には、同一の符号を付し、その詳細な説明は省略する。
【００９８】
図２２〜図２７に示すように、実施の形態５にかかるノズル５の、実施の形態１にかかるノズル１と異なる主な点は、流体Ｗを高圧で噴射可能な流体噴射部本体６０を使用した点と、遮蔽板６１の取付け構造と、ノズル本体１１の開口部１２近傍に、遮蔽板６１の先端を支持可能であると共に、遮蔽板６１の揺動をガイドするガイド部６３を設けた点と、遮蔽板６１の下方に、遮蔽板６１が流体噴射部本体６０から噴射された流体Ｗの進路を遮断する際に、遮蔽板６１との間に流体Ｗを誘導する誘導部材６４を設けた点である。
【００９９】
遮蔽板６１は、流体噴射部本体４０から噴射される流体Ｗの進路を遮断することが可能な幅を備えた略長方形を備えている。遮蔽板６１の基端側は、遮蔽板６１を揺動可能に支持するアーム６２を介して、支持板５４に取り付けられており、中心より若干基端側が、ノズル本体１１の内壁に突出形成された凸部６５によって揺動可能に軸支されている。より具体的には、アーム６２の基端側は、ピン６６によって支持板５４に回動可能に取付けられ、アーム６２の先端側には、遮蔽板６１の基端側がピン６７によって回動可能に取付けられている。遮蔽板６１の先端部には、後に詳述するガイド部６３の先端に形成された係止部６８が係合する係合溝６９が形成されている。
【０１００】
この遮蔽板６１は、ノズル本体１１内が負圧でない際は、流体噴射部本体４０から噴射される流体Ｗの進路を遮断する位置にあり、ノズル本体１１内が負圧になった際に、流体Ｗをノズル本体１１から外部に放出させる位置に移動するよう構成されている。
【０１０１】
ガイド部６３は、ノズル本体１１内の開口部１２のパッド１９近傍から、図２２〜図２７でいう上方に向けて形成されている。ガイド部６３の上部先端には、遮蔽板６１に形成された係合溝６９が係合し、遮蔽板６１の先端がそれ以上上方に移動することを防止するための係止部６８が形成されている。このガイド部６３は、後に詳述するが、遮蔽板６１が揺動した際に、その動きをガイドする役割も担っている。
【０１０２】
誘導部材６４は、遮蔽板６１が流体噴射部本体６０から噴射された流体Ｗの進路を遮断する位置にある際に、ノズル本体１１の開口部１２側にいくにしたがって、遮蔽板６１との距離が短くなるよう、ノズル本体１１内に配置されている。この誘導部材６４は、遮蔽板６１が流体Ｗをノズル本体１１の開口部１２から外部に放出する位置に揺動させるよう駆動部２５が作動した際に、遮蔽板６１と誘導部材６４との間を通過する流体の流体圧によって当該揺動を補助する役割を担っている。
【０１０３】
この誘導部材６４は、流体噴射部本体６０から噴射された流体Ｗの圧力や流量によって、その設置位置や設置角度、サイズ等を任意に決定することができる。例えば、誘導部材６４をネジ等の固定具によりノズル本体１１に固定した構造の場合は、誘導部材６４の設置位置や設置角度は、ノズル本体１１の外部から、前記ネジ等の固定具を使用して、任意に調整可能である。
【０１０４】
次に、実施の形態５にかかるノズル５の具体的動作について説明する。
【０１０５】
壁、天井、身体等、被吸引物Ｍが付着された面Ｂから、この被吸引物Ｍの吸引除去作業を行う、あるいは、ウォータージェットによる切断等を行うには、実施の形態１と同様に、吸引装置２００を作動させ、流体噴射部本体６０から流体Ｗを高圧で噴出させる。この時、ノズル本体１１内は負圧になっていないため、遮蔽板６１は、流体噴射部本体６０から噴射される流体Ｗの進路を遮断（妨害）する位置にあり（図２３及び図２４参照）、流体Ｗは、遮蔽板６１に衝突し、その飛沫が吸引装置２００によって直ちに吸引される。
【０１０６】
また、この時、遮蔽板６１の下方と、誘導部材６４との間に流体Ｗが流れ込む。ここで、誘導部材６４の遮蔽板６１に対する位置は、ノズル本体１１の開口部１２側にいくにしたがって、遮蔽板６１との距離が短くなるよう傾斜しているため、遮蔽板６１の先端側（開口部１２側）の流体圧が、基端側の流体圧より大きくなる。したがって、遮蔽板６１は、この流体圧によって、流体Ｗをノズル本体１１の開口部１２から外部に放出する位置に揺動（移動）される方向（図２４に示す矢印Ｘ方に押されている。しかしながら、この流体圧は、この流体圧のみで遮蔽板６１を、流体Ｗがノズル本体１１の開口部１２から外部に放出する位置まで揺動させることはないよう調整されている。
【０１０７】
この状態で、ノズル本体１１の開口部１２を面Ｂに接触させると、ノズル本体１１内が負圧になり、大気圧とこの負圧との差圧によって、ピストン部２７は、スプリング２９の付勢力に抗して下方に移動する。この動作によって、遮蔽板６１の基端側は、アーム６２を介して下方に移動し、先端側は、ガイド部６３にガイドされながら上方に移動する。すなわち、凸部６５を支点として揺動する。この時、遮蔽板６１と誘導部材６４との間を通過する流体の流体圧によって当該揺動が補助されるため、流体Ｗの流体圧が大きくても、遮蔽板６１を簡単に揺動させることができ、流体Ｗは、遮蔽板６１に衝突することなく、ノズル本体１１の開口イブ１２から外部へ放出される。
【０１０８】
また、この時、実施の形態１と同様に、ノズル本体１１の開口部１２の端面に形成された突起１６によって、面Ｂとの間に形成される空隙（隙間）から外気が導入されるため、ノズル１が面Ｂに過度に吸着することを防止することができる。また、ノズル本体１１の開口部１２から外部に流体Ｗを放出させるための動作を行う際には、必要であれば、ピストン部２７を指で押圧して、ピストン部２７がスプリング２９の付勢力に抗して下方に移動することを手動で補助してもよい。
【０１０９】
この動作により、流体Ｗが被吸引物Ｍに対して吹き付けられ、吸引装置２００の吸引力により、この被吸引物Ｍを面Ｂから速やかに剥離させる。この結果、優れた吸引除去性能が発揮される。しかも、この状態では、周囲の外気がノズル本体１内に、かなりの勢いで導入されているから、被吸引物Ｍに衝突した流体Ｗも外部に飛散することなく吸引される。
【０１１０】
また、ノズル本体１１の開口部１２を面Ｂから放すと、ノズル本体１１内は、負圧でなくなり、ピストン部２７はスプリング２９の付勢力よって上部に移動する。この動作により、遮蔽板４１は軸部２８を介して、流体噴射部本体４０から噴射される流体Ｗの進路を遮断する位置に戻され、流体Ｗは遮蔽板６１に衝突し、その飛沫が直ちに吸引される。
【０１１１】
なお、遮蔽板６１の形状は、ノズル本体１１内が負圧でない際に、流体噴射部本体６０から噴射される流体Ｗの進路を遮断可能であり、かつノズル本体１１内が負圧になった際に、駆動部２５が作動することにより、遮蔽板６１が移動（揺動）して、流体Ｗがノズル本体１１の外部に放出されれば、他の形状であってもよいことは勿論である。
【０１１２】
また、実施の形態５で説明したノズル５は、高圧の流体を噴射させることができるよう構成されているが、この構造のノズル５は、高圧でない流体を噴射させるために使用してもよい。
（実施の形態６）
次に、本発明の実施の形態６にかかるノズルについて、図面を参照して説明する。
【０１１３】
図２８は、実施の形態６にかかるノズルの要部拡大断面図であって、吸引装置が作動しておらず、ノズル本体内が負圧になっていない状態を示す図、図２９は、図２８に示すノズルの要部拡大断面図であって、吸引装置は作動しており、かつノズル本体内が負圧になっている状態を示す図である。
【０１１４】
なお、実施の形態６では、前述した実施の形態で説明した部材と同様の部材には、同一の符号を付し、その詳細な説明は省略する。
【０１１５】
図２８及び図２９に示すように、実施の形態６にかかるノズル７の、実施の形態１にかかるノズル１との異なる主な点は、流体噴射部本体４０の先端に支持部を形成していない点と、ノズル本体１１に収容部１７を形成しない点、及び流体噴射制御部８０の構成である。
【０１１６】
ノズル本体１１には、収容部１７を形成する代わりに、ノズル本体１１内の圧力を感知する圧力センサ８１が設けられている。この圧力センサ８１は、ノズル本体１１内が、所定の負圧になったことを感知すると、負圧であることを示す負圧信号を、後に詳述するバルブ部８２に出力する。一方、ノズル本体１１内が、前記所定の負圧が解除され常圧あるいは常圧に近い圧力になったことを感知すると、これを示す常圧信号を、後に詳述するバルブ部８２に出力する。
【０１１７】
ステー２３の基端側には、圧力センサ８１に接続され、圧力センサ８１から出力される信号に応じて作動し、流体誘導路２２内を通過する流体Ｗの流れを制御し、流体噴射部本体４０からの流体Ｗの噴射状態を決定するバルブ部８２が接続されている。すなわち、このバルブ部８２は、圧力センサ８１から負圧信号を受信すると、流体誘導路２２に接続されたバルブ（図示せず）を開状態にし、輸流体チューブ２０２から供給される流体Ｗを、流体誘導路２２を介して流体噴射部本体４０から噴射させる。一方、圧力センサ８１から常圧信号を受信すると、流体誘導路２２に接続されたバルブ（図示せず）を閉状態にし、輸流体チューブ２０２から流体Ｗを流体誘導路２２に供給することを停止させ、流体噴射部本体４０から流体Ｗが噴射することを停止（阻止）させる。
【０１１８】
次に、実施の形態６にかかるノズル７の具体的動作について説明する。
【０１１９】
壁、天井、身体等、被吸引物Ｍが付着された面Ｂから、この被吸引物Ｍの吸引除去作業を行うには、ノズル本体１１の開口部１２を面Ｂに接触させる。この動作により、ノズル本体１１内が負圧になると、圧力センサ８１は、ノズル本体１１内が所定の負圧になったことを感知し、負圧信号をバルブ部８２に出力する。
バルブ部８２は、この負圧信号を受信すると、内部に配設されているバルブを開状態にし、輸流体チューブ２０２から供給される流体Ｗを、流体誘導路２２を介して流体噴射部本体４０から噴射させる。この時、実施の形態１と同様に、ノズル本体１１の開口部１２の端面に形成された突起１６によって、面Ｂとの間に形成される空隙（隙間）、さらに開口部７５及び７６から外気が導入されるため、ノズル１が面Ｂに過度に吸着することを防止することができる。
【０１２０】
この動作により、流体Ｗが被吸引物Ｍに対して吹き付けられ、吸引装置２００の吸引力により、この被吸引物Ｍを面Ｂから速やかに剥離させる。この結果、優れた吸引除去性能が発揮される。しかも、この状態では、周囲の外気がノズル本体１内に、かなりの勢いで導入されているから、被吸引物Ｍに衝突した流体Ｗも外部に飛散することなく吸引される。
【０１２１】
また、ノズル本体１１の開口部１２を面Ｂから放すと、ノズル本体１１内は、負圧でなくなると、圧力センサ８１は、ノズル本体１１内が所定の負圧でなくなった（常圧あるいは常圧に近い圧力になった）ことを感知し、常圧信号をバルブ部８２に出力する。バルブ部８２は、この常圧信号を受信すると、内部に配設されているバルブを閉状態にし、輸流体チューブ２０２から供給される流体Ｗが流体誘導路２２を介して流体噴射部本体４０から噴射されることを阻止する。
【０１２２】
このように、実施の形態６にかかるノズル７は、前述した実施の形態のように遮蔽板を用いることなく、ノズル本体１１内が負圧になった際に、流体噴射部本体４０から噴射された流体Ｗをノズル本体１１の開口部１２から外部に放出させ、前記負圧が解除された際に、流体Ｗがノズル本体１１の開口部１２から外部に放出されることを阻止することができる。
【０１２３】
また、実施の形態６にかかる別の実施の形態として、図３０及び図３１に示すように、バルブ部８２に設けたバルブとして電磁弁を使用し、圧力センサ８１とバルブ部８２との間に圧力センサ８１から出力される信号に応じて電磁弁の開閉状態を制御するコントローラ８５を介在させてもよい。このコントローラ８５は、圧力センサ８１から負圧信号を受信すると、流体誘導路２２に接続された電磁弁（図示せず）を開状態にする信号をバルブ部８２に出力し、圧力センサ８１から常圧信号を受信すると、流体誘導路２２に接続された電磁弁（図示せず）を閉状態にバルブ部８２に出力するよう構成されている。
【０１２４】
図３０及び図３１に示す構成を備えたノズル８の具体的動作は、ノズル７と同様であるため、その説明は省略する。
（実施の形態７）
次に、本発明の実施の形態７にかかるノズル用アタッチメントについて図面を参照して説明する。
【０１２５】
図３２は、実施の形態７にかかるノズル用アタッチメントの正面図、図３３は、図３２のＸＸＸＩＩＩ−ＸＸＸＩＩＩ線に沿った断面図、図３４は、図３２に示す矢印Ｙ方向から見た平面図である。
【０１２６】
図３２〜図３４に示すように、実施の形態７にかかるノズル用アタッチメント１００は、例えば、図５に示すような吸引装置２００に接続され、被吸引物を吸い込むために用いられるノズル１０１の先端に着脱可能に取付けられる。
【０１２７】
ノズル１１０は、先端の径が基端側（吸引装置２００に接続される側）の径より小さくなった小径部１１１を備えており、この小径部１１１にアタッチメント１００が着脱可能に取付けられる。
【０１２８】
アタッチメント１００は、基端側がノズル１０１の小径部１１１に着脱可能に取付けられる取付部１２１となっている。この取付部１２１は、ノズル１１０の小径部１１１の形状に相補した形状になっている。実施の形態７では、ノズル１１０の小径部１１１の形状が略円筒形のため、これに相補した円筒形となっている。取付部１２１の先端面には、ブラシ毛１２２が植毛されており、さらに取付部１２１の外周面には、ブラシ毛１２２を取り囲むようにゴムシート１２３が取付けられている。
【０１２９】
このゴムシート１２３は、例えば、ブラシ毛１２２により掻き出したり、擦ったりして除去したいような被吸引物Ｍを吸引させる際に、ノズル１１０内を負圧にする役割を担っている。すなわと、ブラシ毛１２２のみが植毛されたアタッチメントでは、ブラシ毛１２２の間から外気が自由に入り込み、ノズル１１０内を所定の負圧にすることが困難となる。この時、ブラシ毛１２２の外周をゴムシート１２３で取り囲めば、ノズル１１０内を所定の負圧に簡単にすることができる。
【０１３０】
ここで、このゴムシート１２３は、適度な弾性力と柔軟性を備え持っており、ブラシ毛１２２の動きに追従することができるため、被吸引物Ｍをブラシ毛１２２により掻き出す動作や、擦る動作に支障を来すことはない。
【０１３１】
また、実施の形態７にかかる別の実施の形態として、小径部が形成されていないノズル（例えば、実施の形態１〜７で説明したノズル）には、図３５及び図３６に示すように、ノズル本体１１の外周面に取付けられるよう構成されたアタッチメント１０１してもよい。この場合、アタッチメント１０１の取付部１２１の内周面の形状は、ノズル本体１１の先端の外周面の形状に相補させればよく、例えば、実施の形態１〜７で説明したノズルに適用する場合は、中空の略長方体とすればよい。
【０１３２】
このアタッチメント１０１を例えば、実施の形態１〜７で説明したノズルに適用した場合、前述した流体Ｗの洗浄効果、吸引効果に加え、被吸引物Ｍを掻き出したり、擦ったりすることができるため、狭い場所や、形状が複雑な面にこびり付いた被吸引物Ｍも、簡単に吸引除去することができる。
【０１３３】
また、ゴムシート１２２には、ノズル本体内に周囲の外気を導入し、この結果、ノズルが被吸引物の付着した面に過度に吸着することを防止するため、所望の開口部を形成することもできる。
【０１３４】
なお、符号１２４は、アタッチメント１０１をノズル本体１１の所定位置に固定するためのストッパである。
【０１３５】
そしてまた、実施の形態７にかかるさらなる他の実施の形態として、例えば、図３７に示すように、実施の形態１〜７で説明したノズル本体１１の開口部１２側を広く形成して、ノズル本体１１の正面から見た形状が略扇状となるよう構成したノズルの先端に、アッタチメント１０２を着脱可能に取付けてもよい。この場合、ノズル本体１１は、図３７に示す矢印Ｚ方向から見た開口部１２の形状が略長方形となっており、ブラシ毛１２２は、全体として略四角柱状に植毛され、ゴムシート１２３によってその外周面が包囲された構成となる。
【０１３６】
なお、実施の形態７では、ブラシ毛１２２の外周面にゴムシート１２３を配設した場合について説明したが、これに限らず、図３８に示すように、ゴムシート１２３のみを配設してもよい。
【０１３７】
【発明の効果】
以上説明したように本発明によれば、ノズル本体内が負圧になった際に、流体噴射部から噴射された流体が前記ノズル本体の開口から外部に放出され、前記負圧が解除された際に、前記流体が前記ノズル本体の開口から外部に放出されなくなるという動作を自動的に行うことができ、吸引作業中、流体が噴射されている状態でノズルを被吸引物が付着した面から離間させても、流体が周囲に飛散することがないノズルを提供することができる。
【０１３８】
また、本発明にかかるノズル用アタッチメントは、吸引装置に接続され、被吸引物を吸い込むために用いられるノズルの先端に着脱可能に取付けられるため、流体Ｗの洗浄効果、吸引効果に加え、被吸引物を掻き出したり、擦ったりすることができる。したがって、狭い場所や、形状が複雑な面にこびり付いた被吸引物も簡単に吸引除去することができる。
【図面の簡単な説明】
【図１】本発明の実施の形態１にかかるノズルの斜視図である。
【図２】図１に示すノズルの要部拡大断面図であって、吸引装置が作動しておらず、ノズル本体内が負圧になっていない状態を示す図である。
【図３】図１に示すノズルの要部拡大断面図であって、吸引装置は作動しているが、ノズル本体内が負圧になっていない状態を示す図である。
【図４】図１に示すノズルの要部拡大断面図であって、吸引装置は作動しており、かつノズル本体内が負圧になっている状態を示す図である。
【図５】本発明の実施の形態１にかかるノズルが取付けられる（接続される）吸引装置の概略図である。
【図６】本発明の実施の形態２にかかるノズルの斜視図である。
【図７】図６に示すノズルの要部拡大断面図であって、吸引装置が作動しておらず、ノズル本体内が負圧になっていない状態を示す図である。
【図８】図６に示すノズルの要部拡大断面図であって、吸引装置は作動しているが、ノズル本体内が負圧になっていない状態を示す図である。
【図９】図６に示すノズルの要部拡大断面図であって、吸引装置は作動しており、かつノズル本体内が負圧になっている状態を示す図である。
【図１０】本発明の実施の形態３にかかるノズルの斜視図である。
【図１１】図１０に示すノズルの要部拡大断面図であって、吸引装置が作動しておらず、ノズル本体内が負圧になっていない状態を示す図である。
【図１２】図１０に示すノズルの要部拡大断面図であって、吸引装置は作動しているが、ノズル本体内が負圧になっていない状態を示す図である。
【図１３】図１２のＸＩＩＩ−ＸＩＩＩ線に沿った断面図である。
【図１４】図１０に示すノズルの要部拡大断面図であって、吸引装置は作動しており、かつノズル本体内が負圧になっている状態を示す図である。
【図１５】図１４のＸＶ−ＸＶ線に沿った断面図である。
【図１６】本発明の実施の形態４にかかるノズルの斜視図である。
【図１７】図１６に示すノズルの要部拡大断面図であって、吸引装置が作動しておらず、ノズル本体内が負圧になっていない状態を示す図である。
【図１８】図１６に示すノズルの要部拡大断面図であって、吸引装置は作動しているが、ノズル本体内が負圧になっていない状態を示す図である。
【図１９】図１７に示すノズルの遮蔽部を開口部側から見た概略平面図である。
【図２０】図１６に示すノズルの要部拡大断面図であって、吸引装置は作動しており、かつノズル本体内が負圧になっている状態を示す図である。
【図２１】図２０に示すノズルの遮蔽部を開口部側から見た概略平面図である。
【図２２】本発明の実施の形態５にかかるノズルの斜視図である。
【図２３】図２２に示すノズルの要部拡大断面図であって、吸引装置が作動しておらず、ノズル本体内が負圧になっていない状態を示す図である。
【図２４】図２２に示すノズルの要部拡大断面図であって、吸引装置は作動しているが、ノズル本体内が負圧になっていない状態を示す図である。
【図２５】図２３に示すノズルの遮蔽部を開口部側から見た概略平面図である。
【図２６】図２２に示すノズルの要部拡大断面図であって、吸引装置は作動しており、かつノズル本体内が負圧になっている状態を示す図である。
【図２７】図２６に示すノズルの遮蔽部を開口部側から見た概略平面図である。
【図２８】本発明の実施の形態６にかかるノズルの要部拡大断面図であって、吸引装置が作動しておらず、ノズル本体内が負圧になっていない状態を示す図である。
【図２９】図２８に示すノズルの要部拡大断面図であって、吸引装置は作動しており、かつノズル本体内が負圧になっている状態を示す図である。
【図３０】実施の形態６の他の実施の形態にかかるノズルの要部拡大断面図であって、吸引装置が作動しておらず、ノズル本体内が負圧になっていない状態を示す図である。
【図３１】図３０に示すノズルの要部拡大断面図であって、吸引装置は作動しており、かつノズル本体内が負圧になっている状態を示す図である。
【図３２】本発明の実施の形態７にかかるノズル用アタッチメントの正面図である。
【図３３】図３２のＸＸＸＩＩＩ−ＸＸＸＩＩＩ線に沿った断面図である。
【図３４】図３２に示す矢印Ｙ方向から見た平面図である。
【図３５】実施の形態７の他の実施の形態にかかるノズル用アタッチメントの正面図である。
【図３６】図３５のＸＸＸＶＩ−ＸＸＸＶＩ線に沿った断面図である。
【図３７】実施の形態７の他の実施の形態にかかるノズル用アタッチメントの正面図である。
【図３８】実施の形態７の他の実施の形態にかかるノズル用アタッチメントの断面図である。
【符号の説明】
１、２、３、４、５、６、７、８    ノズル
１１    ノズル本体
１２    開口部
１３    流体噴射部
１５、７０、８０    流体噴射制御部
２１、４０、６０    流体噴射部本体
２４、４１、４６、５１、５２、６１、７１、７２    遮蔽板
２５、４５    駆動部
４２    支持部
４３    開口部
５３    介在部材
６３    ガイド部
６４    誘導部材
７３、７４    ねじりコイルばね
８１    圧力センサ
８２    バルブ部
８５    コントローラ
１００、１０１、１０２    アタッチメント
１２１    取付部
１２２    ブラシ毛
１２３    ゴムシート
【図１】
2004223372.tif 000003
【図２】
2004223372.tif 000004
【図３】
2004223372.tif 000005
【図４】
2004223372.tif 000006
【図５】
2004223372.tif 000007
【図６】
2004223372.tif 000008
【図７】
2004223372.tif 000009
【図８】
2004223372.tif 000010
【図９】
2004223372.tif 000011
【図１０】
2004223372.tif 000012
【図１１】
2004223372.tif 000013
【図１２】
2004223372.tif 000014
【図１３】
2004223372.tif 000015
【図１４】
2004223372.tif 000016
【図１５】
2004223372.tif 000017
【図１６】
2004223372.tif 000018
【図１７】
2004223372.tif 000019
【図１８】
2004223372.tif 000020
【図１９】
2004223372.tif 000021
【図２０】
2004223372.tif 000022
【図２１】
2004223372.tif 000023
【図２２】
2004223372.tif 000024
【図２３】
2004223372.tif 000025
【図２４】
2004223372.tif 000026
【図２５】
2004223372.tif 000027
【図２６】
2004223372.tif 000028
【図２７】
2004223372.tif 000029
【図２８】
2004223372.tif 000030
【図２９】
2004223372.tif 000031
【図３０】
2004223372.tif 000032
【図３１】
2004223372.tif 000033
【図３２】
2004223372.tif 000034
【図３３】
2004223372.tif 000035
【図３４】
2004223372.tif 000036
【図３５】
2004223372.tif 000037
【図３６】
2004223372.tif 000038
【図３７】
2004223372.tif 000039
【図３８】
2004223372.tif 000040